(57)【要約】【課題】ノズルからの風によって手についた水滴を吹き飛ばして乾燥させ、手から吹き飛ばされ手挿入部で回収された水を手挿入部から本体の下方へ導く排水路を備えた手乾燥装置において、その排水路の汚れ具合を外部から直接目視できるようにする。【解決手段】本体外郭に設けられ手を挿抜できる手挿入部と、手挿入部に向かって空気を吹き出すノズルと、手挿入部より下方の本体外郭に手挿入部の水を本体の下方に導く排水路を露出して設けた手乾燥装置。【選択図】図１
2016007400.tif 000002
【特許請求の範囲】
【請求項１】
本体外郭と、前記本体外郭に設けられ手を挿抜できる手挿入部と、前記手挿入部に向かって空気を吹き出すノズルと、前記手挿入部より下方の前記本体外郭に前記手挿入部の水を下方に導く排水路が露出して設けられていることを特徴とする手乾燥装置。
【請求項２】
前記排水路は、前記本体外郭の側面に設けられていることを特徴とする請求項１に記載の手乾燥装置。
【請求項３】
前記排水路は、溝形状であることを特徴とする請求項２に記載の手乾燥装置。
【請求項４】
前記排水路は側方に向かって開口し、前記排水路の底部を形成する溝底部の下方側が前記溝底部の上方側より側方において外側に位置するように傾斜していることを特徴とする請求項３に記載の手乾燥装置。
【請求項５】
前記排水路は、前後方向に傾斜していることを特徴とする請求項３に記載の手乾燥装置。
【請求項６】
前記排水路は、前記溝底部から側方に向かって立ち上がり前記排水路の前側の壁部を形成する前側溝壁部と、前記溝底部から側方に向かって立ち上がり前記排水路の後側の壁部を形成する後側溝壁部とを備え、
前記前側溝壁部の側方の外側の端部が前記後側溝壁部の側方の外側の端部よりも側方において外側にあることを特徴とする請求項３〜５のいずれか一つに記載の手乾燥装置。
【請求項７】
前記排水路は、前記溝底部から側方に向かって立ち上がり前記排水路の前側の壁部を形成する前側溝壁部と、前記溝底部から側方に向かって立ち上がり前記排水路の後側の壁部を形成する後側溝壁部とを備え、
前記排水路の前記前側溝壁部が後方へ向かって延びていることを特徴とする請求項３〜５のいずれか一つに記載の手乾燥装置。
【請求項８】
前記排水路は、前記溝底部から側方に向かって立ち上がり前記排水路の前側の壁部を形成する前側溝壁部と、前記溝底部から側方に向かって立ち上がり前記排水路の後側の壁部を形成する後側溝壁部とを備え、
前記排水路の前記後側溝壁部が前方へ向かって延びていることを特徴とする請求項３〜５のいずれか一つに記載の手乾燥装置。
【請求項９】
前記排水路は、前記溝底部から側方に向かって立ち上がり前記排水路の前側の壁部を形成する前側溝壁部と、前記溝底部から側方に向かって立ち上がり前記排水路の後側の壁部を形成する後側溝壁部とを備え、
前記前側溝壁部と前記後側溝壁部との距離が、側方において内側より外側が狭いことを特徴とする請求項３〜５のいずれか一つに記載の手乾燥装置。
【請求項１０】
前記手挿入部の底壁面には、前記排水路の前記溝底部に水を誘導する誘導手段を設けたことを特徴とする請求項１〜９にいずれか一つに記載に手乾燥装置。
【請求項１１】
前記誘導手段は、前記手挿入部の底壁面に上方へ向かって立ち上がる立上り部を備え、前記立上り部は前記排水路の前側溝壁部または後側溝壁部に繋がっていることを特徴とする請求項１０に記載の手乾燥装置。
【請求項１２】
前記誘導手段は、前記手挿入部の底壁面に設けられ前記排水路に繋がるように側方に延びた溝部であることを特徴とする請求項１０に記載の手乾燥装置。
【発明の詳細な説明】
【技術分野】
【０００１】
本願発明は、化粧室、洗面所、手洗い場等での手洗い等において、ユーザーが手を洗った後の水で濡れた手を乾燥させるための手乾燥装置に関する。
【背景技術】
【０００２】
従来の手乾燥装置は、たとえば特許文献１に記載されているように、手を出し入れする手挿入部と、手挿入部へ向かって気流を噴出するノズルと、手挿入部に設けられノズルから噴出された気流によって手から吹き飛ばされた水を排水する排水口と、排水口から排水される水を手乾燥装置の下方に配置されたドレンタンクに導く排水管を備えた手乾燥装置が知られている。
【０００３】
また、特許文献２に記載されているように、本体ハウジングと、本体ハウジングに着脱自在に取り付けられたカバーと、排水口から排水される水を手乾燥装置の下方に配置された回収容器（ドレンタンク）に導くように本体ハウジングの外側面とカバーの内側面により形成された排水路を備えた手乾燥装置が知られている。
【先行技術文献】
【特許文献】
【０００４】
【特許文献１】特開２００３−１８０５５３号公報（段落「００１４」、図１）
【特許文献２】特許第３８２６４０３号公報（請求項１４、図４）
【発明の概要】
【発明が解決しようとする課題】
【０００５】
手から除去された水には、手および手挿入部の汚れ（手の油分、洗剤、塵埃、埃  等）が含まれているため、排水管（排水路）の内側に汚れが徐々に付着・堆積してしまうため、定期的な清掃が必要である。しかしながら、特許文献１に記載の従来の手乾燥装置では、排水管の汚れ具合が外部から直接見えないため、清掃者が汚れに気づかずに清掃が行なわれず、汚れが付着したまま放置されてしまうという問題があった。
【０００６】
また、特許文献２に記載の従来の手乾燥装置では、カバーを外すことで排水路の内側を直接見て汚れ具合を確認することができるが、カバーを外さないと排水路の内側を目視することができず、カバーを外して清掃するという情報が充分に清掃者へ伝わっていない場合には、清掃が行なわれず汚れが堆積したまま放置されてしまうという同様の問題があった。
【０００７】
この発明は、上述のような課題を解決するためになされたもので、外部から排水路の汚れ具合を目視できる手乾燥装置を得るものである。
【課題を解決するための手段】
【０００８】
この発明に係る手乾燥装置は、本体外郭に設けられ手を挿抜できる手挿入部と、手挿入部に向かって空気を吹き出すノズルと、手挿入部より下方の本体外郭に手挿入部の水を下方に導く排水路が露出して設けたものである。
【発明の効果】
【０００９】
この発明は、外部から排水路の汚れ具合を目視できる手乾燥装置を得るものである。
【図面の簡単な説明】
【００１０】
【図１】この発明の実施の形態１に示す手乾燥装置の斜視図である。
【図２】この発明の実施の形態１に示す手乾燥装置の左側面図である。
【図３】この発明の実施の形態１に示す手乾燥装置の左側面断面図である。
【図４】この発明の実施の形態１に示す手乾燥装置の平面図である。
【図５】この発明の実施の形態１に示す手乾燥装置で、図４におけるＡ部を部分的に拡大した部分拡大平面図である。
【図６】この発明の実施の形態１に示す手乾燥装置で、図２におけるＢ−Ｂ断面による排水路７の平面断面図である。
【図７】この発明の実施の形態１に示す手乾燥装置で、図４におけるＣ−Ｃ断面による正面断面図である。
【図８】この発明の実施の形態１に示す手乾燥装置で、排水路７の別の実施例を示す平面断面図である。
【図９】この発明の実施の形態１に示す手乾燥装置で、排水路７の別の実施例を示す平面断面図である。
【図１０】この発明の実施の形態１に示す手乾燥装置で、排水路７の別の実施例を示す平面断面図である。
【図１１】この発明の実施の形態２に示す手乾燥装置の左側面図である。
【図１２】この発明の実施の形態２に示す手乾燥装置で、排水路７の別の実施例を示す平面断面図である。
【図１３】この発明の実施の形態２に示す手乾燥装置で、排水路７の別の実施例を示す平面断面図である。
【図１４】この発明の実施の形態２に示す手乾燥装置の排水路７の平面断面図である。
【図１５】この発明の実施の形態２に示す手乾燥装置の別の実施例を示す左側面図である。
【図１６】この発明の実施の形態３に示す手乾燥装置の左側面図である。
【図１７】この発明の実施の形態３に示す手乾燥装置の別の実施例を示す左側面図である。
【図１８】この発明の実施の形態４に示す手乾燥装置の左側面図である。
【図１９】この発明の実施の形態４に示す手乾燥装置の平面図である。
【図２０】この発明の実施の形態５に示す手乾燥装置の外観を示す斜視図である。
【発明を実施するための形態】
【００１１】
実施の形態１．
図１〜図４はこの発明の実施の形態１に示す手乾燥装置を示し、図１は手乾燥装置の外観を示す斜視図、図２は左側面図、図３は左側面断面図、図４は平面図である。図１〜図４において、ケーシング１は手乾燥装置の外郭を形成する。ケーシング１には、その上側に外部から手を挿抜可能な手挿入部２が設けられている。手挿入部２は、上部及び側部が開口して手を自由に挿抜できる空間で、底壁面５ａ、前壁面５ｂ及び後壁面５ｃにより形成されている。またケーシング１の中には、空気流を発生させる空気流発生装置３及び空気流発生装置３の運転を制御する制御手段（図示せず）を備えている。また、手挿入部２には、手挿入部２に挿入される手の有無を検知する手検知センサ（図示せず）、空気流発生装置３で発生する空気流を手挿入部２に向かって噴出するノズル４が設けられてる。制御手段（図示せず）が、手検知センサ（図示せず）の検知結果に基づき空気流発生装置３を始動または停止させることで、ノズル４から空気流が噴出または停止される。手挿入部２より下方のケーシング１の左右の両側面には、溝状の排水路７が下方に延びて露出して形成されている。排水路７の上端は底壁面５ａの右側の端または左側の端に繋がり、排水路７の下端はケーシング１の下端まで延びている。
【００１２】
空気流発生装置３は、羽根とモーターで構成され高圧の空気流を生成する。空気流発生装置３の排気側は、排気ダクト８に接続され、排気ダクト８は手挿入部２を挟んで正面側と後面側に分岐し、それぞれのノズル４と連通している。また、空気流発生装置３の吸気側は、吸気ダクト９の一方に接続され、吸気ダクト９の他方はケーシング１の下部に下方に開口して設けられた吸気口１０に連通している。従って、吸気口１０から吸気ダクト９を通り、空気流発生装置３を介して排気ダクト８を通りノズル４までの連通した風路が形成されている。
【００１３】
次に手乾燥装置が動作したときの空気の流れについて説明する。手挿入部２に手が挿入されると、手検知センサ（図示せず）によって手の挿入を検知し、制御手段（図示せず）が空気流発生装置３を始動させる。空気流発生装置３が動作すると、吸気口１０から手乾燥装置の外の空気が吸い込まれ、吸い込まれた空気は吸気ダクト９を通って空気流発生装置３の吸込側から吸い込まれる。空気流発生装置３に吸い込まれた空気は空気流発生装置３で高圧化され、排気ダクト８へ排気される。排気ダクト８に排気された高圧空気は、排気ダクト８を通ってそれぞれのノズル４へ至り、ノズル４で高圧空気から高速空気に変換され手挿入部２の中へ高速空気が噴出される。それぞれのノズル４は側方（左右方向）に直線状に設けられているので、ノズル４から噴出される高速空気は側方に延びた線状のエアカーテン状に噴出される。したがって、手挿入部２内に挿入されている手を横断するように手の幅全体に高速空気が当たり、手をゆっくりと引き抜く動作を行うことによって手全体の表面に付着している水が吹飛ばされて除去される。
【００１４】
また、手挿入部２から手が抜かれると、手検知センサ（図示せず）によって手の抜き出しを検知し、制御手段（図示せず）４が空気流発生装置３を停止させる。手挿入部２に挿入された濡れた手から吹き飛ばされた水は、手挿入部２の中に飛ばされ、手挿入部２の前壁面５ｂおよび後壁面５ｃに当たって底壁面５ａへ流下する。更に、底壁面５ａへ流下した水は底壁面５ａから排水路７へ流れ、排水路７を通って流下し、ケーシング１の下端から手乾燥装置の外へ排水される。
【００１５】
次に排水路７および手挿入部２の詳細について説明する。図５は、図４における底壁面５ａの右側端部分を部分的に拡大した部分拡大平面図である。また、図６は図２におけるＢ−Ｂ断面による排水路７の断面形状を示す平面断面図である。また、図７は、図４におけるＣ−Ｃ断面からの正面断面図である。図６に示すように、排水路７の断面形状は、側方において外側に向かって開口し、ケーシング１の側面の表面より凹んだ溝状で、溝の底部を形成する溝底面７ａ、溝底面７ａから側方において外側に向かって立ち上がり溝の前側の壁部を形成する前側溝壁面７ｂ、および溝底面７ａから側方において外側に向かって立ち上がり溝の後側の壁部を形成する後側溝壁面７ｃとで形成されている。勿論、溝底面７ａ、前側溝壁面７ｂ、後側溝壁面７ｃおよびケーシング１の側面表面との互いの繋ぎ部分は小さな曲面で面取りしてもよい。
【００１６】
図４および図５に示すように、手挿入部２の底壁面５ａには、立上り部１１、１２が設けられている。立上り部１１は、側方における中央側の端が手挿入部２の前壁面５ｂに繋がり側方における外側の端が排水路７の前側溝壁面７ｂに繋がり、底壁面５ａから上方向かって立ち上がった形状をしている。同様に、立上り部１２は、側方における中央側の端が手挿入部２の後壁面５ｃに繋がり側方側における外側の端が排水路７の後側溝壁面７ｃに繋がり、底壁面５ａから上方向かって立ち上がった形状をしている。また、図７に示すように、手乾燥装置の正面透視において、排水路７の溝底面７ａは、下方に向かうほど側方において外側に位置するように鉛直方向に対してθ１の角度を有して外側へ傾斜している。また、手乾燥装置の正面透視において、手挿入部２の底壁面５ａは、中央側が高く、左右の外側が中央側より低く、水平に対してθ２の角度を有して下り勾配をもって傾斜している。
【００１７】
図８から図１０は、本実施の形態１において、排水路７の断面形状の別の実施例を示す平面断面図である。図８に示した別の実施例では、前側溝壁面７ｂの外側端部が後側溝壁面７ｃの外側端部より側方の外側に向かってＬだけ突出している。
【００１８】
また、図９に示した別の実施例では、排水路７の断面形状は、溝底面７ａ、前側溝壁面７ｂおよび後側溝壁面７ｃで形成され、前側溝壁面７ｂの外側端部および後側溝壁面７ｃの外側端部が互いに近づくように傾斜している。更に詳細すると、前側溝壁面７ｂは溝底面７ａの垂線に対してθ３の角度ｓで後方へ向かって傾斜し、後側溝壁面７ｃは溝底面７ａの垂線に対してθ４の角度で前方へ向かって傾斜している。つまり、排水路７の溝幅に注目すると、排水路７の溝底面７ａより排水路７の外側端部の方が狭い形状となっている。
【００１９】
尚、図９では、排水路７の断面形状として、前側溝壁面７ｂおよび後側溝壁面７ｃを溝底面７ａに対して９０°以下の鋭角とし、排水路７の開口部の外側端部の幅を狭くする形状を示したが、前側溝壁面７ｂまたは後側溝壁面７ｃを溝底面７ａのどちらか一方のみを溝底面７ａに対して９０°以下の鋭角にするようにしてもよい。
【００２０】
また、排水路７の溝形状について、溝底面７ａ、前側溝壁面７ｂおよび後側溝壁面７ｃの３つの平面から構成されたU文字に近い形状のものを基本形状としてその変形例も示してたが、基本形状はこれに限定されるものではない。例えば排水路７の断面形状として、図１０に示した円弧状の曲線で形成された形状でものよく、また図示はしないが二つの平面から構成されるＶ文字状の形状でもよい。その場合には、円弧状の曲線またはＶ文字状の平面は、溝底面７ａに相当するとともに前側溝壁面７ｂもしくは後側溝壁面７ｃにも相当する。
【００２１】
以上の構成の手乾燥装置によれば、排水路７が外部に露出しているので、排水路７を覆うカバーを外すなどの特別な作業を行わなくても外部から排水路７の中の汚れ具合を直接見ることができる。そのため、清掃時において、清掃者等が容易に排水路７の汚れに気づくことができる。
【００２２】
また、排水路７は側方へ向かって開口した溝形状なので、管形状と比較して汚れが詰まりにくく、清掃も容易に行うことができる。
【００２３】
また、排水路７は側方に向かって開口するとともに排水路７の溝底面７ａが下方へ向かうほど側方において外側へ向かって傾斜しているので、溝底面７ａが鉛直方向（重力方向）より緩やかな傾斜になっている。そのため、排水路７を通る水は重力で必ず溝底面７ａを流れ伝わるので、排水路７を流れる水が排水路７の外へ漏れ出すことがなく、確実に排水路７の中だけに水を流すことができる。
【００２４】
また、排水路７の断面形状において、前側溝壁面７ｂの外側端部は後側溝壁面７ｃの外側端部より側方おいて外側に向かってＬだけ突出しているので、前側溝壁部７ｂが遮蔽物となって、手乾燥装置を使用する使用者から排水路７の内部が見えにくく、使用者が汚れを含んだ排水や排水に伴う汚れを見ることなく気分よく手乾燥装置を使用することができる。
【００２５】
また、排水路７の断面形状において、排水路７は側方に向かって開口するとともに排水路７の溝幅が排水路７の溝底面７ａより排水路７の開口部の外側端部の方が狭くなっているので、手乾燥装置を使用する使用者から排水路７の内部が見えにくく、汚れを含んだ排水が目に入ることなく気分よく手乾燥装置を使用することができる。また流れる水は、底壁部５ａでは左右方向へ流れ排水路７の上端で鉛直方向へ向きを変えて流れる。そのため、底壁部５ａを左右方向へ流れる水の流速がノズル４からの噴出空気に押されて速い場合には、排水路７の上端で左右方向から鉛直方向へ十分に向きを変更しきれないことがあり、排水路７の上端付近で水が前側溝壁面７ｂまたは後側溝壁面７ｃを超えて排水路７の外に流れ出る場合がある。しかし、排水路７の開口部の外側端部の幅の方を狭くすることで、流速が速い場合でも水が前側溝壁面７ｂまたは後側溝壁面７ｃを超え難くなり、排水路７の外に水が漏れ出すことを低減もしくは防止する効果がある。
【００２６】
また、手挿入部２の底壁面５ａの水は、立上り部１１および立上り部１２によって排水路７の溝底面７ａに誘導されるので、確実に排水路７を通して排水することができる。更に、立上り部１１が排水路７の前側溝壁面７ｂに繋がり、立ち上り部１２が排水路７の後側溝壁面７ｃに繋がっているので、手挿入部２の底壁面５ａの水は、排水路７の溝底面７ａだけに確実に導くことができ、排水路７を流れる水が排水路７の外へ漏れ出すことがなく、確実に排水路７の中だけに水を流すことができる。
【００２７】
実施の形態２．
図１１および図１２は、この発明の実施の形態２に示す手乾燥装置を示し、図１１は手乾燥装置の左側面図、図１２は手乾燥装置に設けた排水路７の断面形状を示す平面断面図である。図１１に示すように、手乾燥装置の左右両側面にはそれぞれ排水路７が設けられ、排水路７は下方に向かうほど後方に位置するように、鉛直方向に対しαの角度で後方に向かって傾斜している。また、図１２に示すように、排水路７の断面形状は側方において外側に向かって開口し、ケーシング１の側面の表面より凹んだ溝状で、溝底面７ａ、前側溝壁面７ｂおよび後側溝壁面７ｃで形成されている。排水路７の前側溝壁面７ｂは、後方に向かって傾斜している。また、後側溝壁面７ｃも同様に後方に向かって傾斜し、前側溝壁面７ｂとほぼ平行になっている。更に詳しくは、前側溝壁面７ｂおよび後側溝壁面７ｃは、前後方向に垂直な側方の基準線に対してθ５の角度で開口側（外側）が後方に向かうように傾斜している。また、図示はしていないが、手乾燥装置の正面透視において、排水路７の溝底面７ａは実施の形態１のような下方になるほど側方において外側に位置するような傾斜はなく、溝底面７ａは鉛直に設けられている。もちろん、排水路７の溝底面７ａは実施の形態１と同じように下方になるほど側方において外側に位置するような傾斜を設けてもよい。尚、上記以外の構成については実施の形態１と同様であり、ここでは説明を省略する。
【００２８】
以上の構成の手乾燥装置によれば、排水路７は下方に向かうほど後方に位置するように後方に向かってαの角度で傾斜し、更に排水路７の断面形状において、前側溝壁面７ｂの開口側（側方側）が後方に向かうようにθ５の角度で傾斜しているので、排水路７を通る水は重力によって必ず排水路７の溝底面７ａと前側溝壁面７ｂ側とが接続する角付近に集まって流れ伝わるので、排水路７を流れる水が排水路７の外へ漏れ出すことがなく、確実に排水路７の中だけに水を通すことができる。
【００２９】
尚、本実施の形態２では、排水路７の断面形状として前側溝壁面７ｂおよび後側溝壁面７ｃの両方がθ５の角度で直線的に後方へ傾斜して場合を示したが、排水路７が下方に向かうほど後方に位置するように後方に向かって傾斜している場合は、排水路７の断面形状としては少なくとも前側溝壁面７ｂが後方へ延びていれば、排水路７の外への水漏れを防止できる。更に、排水路７の断面形状として、前側溝壁面７ｂの全体が平らでなくても、後方に向かう傾斜が一部でもあれば排水路７の外への水漏れを防止できる。図１３および図１４は実施の形態２に示す手乾燥装置で、排水路７の別の実施例を示す平面断面図である。図１３に示すように、排水路７の断面形状は、前側溝壁面７ｂが前方へ膨らんだ円弧状または曲線状でもよく、また、図１４に示しように、前側溝壁面７ｂの外側の一部が後方へ延びるようにしてもよい。
【００３０】
また、排水路７の溝底面７ａと前側溝壁面７ｂ側とが接続する角付近は、手乾燥装置を使用する使用者から最も見え難い。したがって、最も見え難い角付近に水を集めて流すので、手乾燥装置を使用する使用者が汚れを含んだ排水や排水に伴う汚れを見ることなく、気分よく手乾燥装置を使用することができる。
【００３１】
また、排水路７の溝底面７ａの左右方向の位置は実施の形態１にように下方になるほど側方において外側に位置するような傾斜を設けなくても排水路７を流れる水が排水路７の外へ漏れ出すことがないので、製品の左右方向のサイズを大きくする必要もない。
【００３２】
また、後側溝壁面７ｃも同様に後方に向かって傾斜し、前側溝壁面７ｂとほぼ平行になっているので、アンダーカット部分が無く簡単な金型構成で排水路７を樹脂等で成型することができる。また排水路７の断面形状において、排水路７の溝幅が溝底面７ａから排水路７の外側端部まで同じなので、溝底面７ａ、前側溝壁面７ｂおよび後側溝壁面７ｃの清掃を外部から実施しやすい。
【００３３】
尚、図１５は実施の形態２に示す手乾燥装置の別の実施例を示す左側面図である。図１５に示すように、排水路７が下方に向かうほど前方に位置するように前方に向かってβの角度で傾斜させてもよい。この場合には、少なくとも後側溝壁面７ｃの一部が前方に向かって傾斜して延びる形状にすれば、重力によって、排水路７を通る水は必ず排水路７の溝底面７ａと後側溝壁面７ｃ側とが接続する角付近に集まって流れ伝わるので、排水路７を流れる水が排水路７の外へ漏れ出すことがなく、確実に排水路７の中だけに水を通すことができる。
【００３４】
尚、排水路の前後方向の角度α、または角度βは排水路７の上端から下端まで一定の場合を示したが、角度αまたは角度βは一定でなくて、排水路７の途中で角度の大小を変化させてもよい。
【００３５】
実施の形態３．
図１６は、この発明の実施の形態４に示す手乾燥装置の左側面図を示す。図１６に示すように、手乾燥装置の左右両側面にはそれぞれ排水路７が設けられ、排水路７は側方において外側に向かって開口し、ケーシング１の側面の表面より凹んだ溝状で、溝底面７ａ、前側溝壁面７ｂおよび後側溝壁面７ｃで形成されている。また、排水路７の溝幅は、手挿入部２の底壁面５ａの前後方向の幅と同じ幅で形成され、底壁面５ａと排水路７の溝底面７ａがそのまま全て繋がって形成されている。更に、手挿入部２の前壁面５ａが排水路７の前側溝壁面７ｂに繋がり、手挿入部２の後壁面５ｂが排水路７の後側溝壁面７ｃに繋がって形成されている。尚、上記以外の構成については実施の形態１と同様であり、ここでは説明を省略する。
【００３６】
以上の構成の手乾燥装置によれば、手挿入部２の底壁面５ａの全てが排水路７の溝底面７ａに繋がっているので、底壁面５ａから排水路７への流路が狭くなることがない。そのため、底面壁５ａの水が多量であっても容易に排水路７のへ導くことができる。
【００３７】
なお、図１７は実施の形態３に示す手乾燥装置の排水路７の別の実施例を示す左側面図である。図１７に示すように、排水路７の上側部分の溝幅は、手挿入部２の底壁面５ａの前後方向の幅と同じ幅で形成され、底壁面５ａと排水路の溝底面７ａがそのまま全て繋がって形成され、排水路７の下側部分の溝幅は、上側の溝幅よりも狭くしてもよい。この構成にすれば、上記と同様の効果があるとともに、使用者から排水路７の内部が見えにくく、汚れを含んだ排水が目に入ることなく気分よく手乾燥装置を使用することができる
【００３８】
実施の形態４．
図１８および図１９は、この発明の実施の形態４に示す手乾燥装置を示し、図１８は手乾燥装置の左側面図、図１９は平面図である。図１８および図１９に示すように、手挿入部２の底壁面５ａは曲面状の形成され、底壁面５ａの曲面の最下端である中央付近には底壁面５ａより下方へ凹み側方に長く延びる溝状の手挿入部溝部１３が形成されている。手挿入部２は、底壁面５ａ、底壁面５ａに繋がった前壁面５ｂ、底壁面５ａに繋がった後壁面５ｃ、および手挿入部溝部１３で形成された空間で、手挿入部２の最下位置に手挿入部溝部１３が形成されている。また、手挿入部溝部１３は、手挿入部溝部１３の底部を形成する溝底面１３ａと、前後方向において手挿入部溝部１３の前側の壁部を形成する前側溝壁面１３ｂと、前後方向において手挿入部溝部１３の後側の壁部を形成する後側溝壁面１３ｃで構成される。
【００３９】
また、手乾燥装置の左右両側面にはそれぞれ排水路７が設けられ、排水路７は側方において外側に向かって開口し、ケーシング１の側面の表面より凹んだ溝状で、溝底面７ａ、前側溝壁面７ｂおよび後側溝壁面７ｃで形成されている。手挿入部溝部１３の手乾燥装置の前後方向の溝幅は、排水路７の溝幅と同じで、手挿入部溝部１３と排水路７が繋がって形成されている。つまり、手挿入部溝部１３の溝底面１３ａと排水路７の溝底面７ａが繋がり、手挿入部溝部１３の前側溝壁面１３ｂと排水路７の前側溝壁面７ｂが繋がり、手挿入部溝１３部の後側溝壁面１３ｃと排水路７の後側溝壁面７ｃが繋がっている。また、図示はしないが正面透視において、手挿入部溝部１３の溝底面１３ａは、側方において中央側が高く、左右の外側が中央側より低く、水平に対して下り勾配をもって傾斜している。尚、上記以外の構成については実施の形態１と同様であり、ここでは説明を省略する。
【００４０】
以上の構成の手乾燥装置によれば、手挿入部２に飛んだ大部分の水は、手挿入部２の前壁面５ｂおよび後壁面５ｃを伝わって底壁面５ａへ流下し、底壁面５ａへ流下した水は手挿入部溝部１３の中へ流れ込む。一旦手挿入部溝部１３に流れ込んで入った水は、手挿入部溝部１３から外に出ることなく溝底面１３ａを伝わって左右方向の下り勾配によって左右の両端へ流れ、そのまま排水路７の溝底面７ａに誘導され、排水路７から排水される。そのため、手挿入部溝部１３に集まった水を手挿入部２の最下位置の排水路７の溝底面７ａに確実の導くことができ、排水路７を流れる水が排水路７の外へ漏れ出すことがなく、排水路７の中だけに水を通すことができる。
尚、手挿入部２または手乾燥装置の左右側面のケーシング１を、前後方向に異なる別部材で構成しその接合部分に手挿入部溝部１３または排水路７を位置させてもよい。
【００４１】
実施の形態５．
図２０は、この発明の実施の形態５に示す手乾燥装置の外観を示す斜視図である。図２０に示すように、ケーシング１の下端には、水を溜めることのできるタンク１４がケーシング１の正面から抜き差し可能に装着されている。ケーシング１の側面に設けられた排水路７の下端はタンクの上方に位置し、手挿入部２の水は排水路７を通ってタンク１４に貯水される。タンク１４を備えたこと以外は実施の形態１と同様であり、ここでは説明を省略する。
【００４２】
以上の構成の手乾燥装置によれば、実施の形態１と同様の効果があるとともに、更に手挿入部２の水を手乾燥装置の外に排水せずにタンク１４に貯水するので、床が排水で濡れたり汚れたりすることが無く、タンク１４を取り外すことでタンク１４に溜まった水を簡単に捨てることができる。
【００４３】
尚、実施の形態１〜実施の形態５では、図１７に示した実施例を除いて、排水路７の断面形状は、排水路７の上端から下端まで一定した同一形状もしくは同等の形状の場合を示した。また、図７または図１１に示すように排水路７の前後方向の傾斜形状は、排水路７の上端から下端まで全体的に傾斜する形状を示した。しかし、実施の形態１〜実施の形態５に示した排水路７の断面形状または排水路７の前後方向の傾斜形状を、排水路７の上端から下端までの間で部分的に実施した場合でも、実施した部分については上述した効果が同様にある。したがって本発明は、本発明は実施の形態１〜実施の形態５に示した例に限定されるものではなく、実施の形態１〜実施の形態５に示した排水路７の断面形状または排水路７の前後方向の傾斜形状を排水路７において部分的に実施した場合をも含むものである。例えば、排水路の下端付近において排水路７からの水漏れが多少あっても問題ない場合には、排水路７の上端から排水路７の上端と下端との間の少なくとも中央付近までは実施の形態１から実施の形態５に示した排水路７の断面形状または排水路７の前後方向の傾斜形状を成し、排水路７の上端と下端との間の中央付近から排水路７の下端までは、排水路７の断面形状を別の断面形状にしたり排水路７の傾斜形状を鉛直方向にしてもよい。
【００４４】
また、排水路７の断面形状における前側溝壁面７ｂの前後方向へ向かう傾斜形状または後側溝壁面７ｃの前後方向へ向かう傾斜形状は、図１４を除いて溝底面７ａ側から側方の外側端部まで一つの平面形状または一つの曲面形状で傾斜する例を示した。しかし、本発明はそれに限定されるものではなく、溝底面７ａ側から側方の外側端部までの間において部分的に前後方向に向かって傾斜形状が形成されていれば上述した同様の効果がある。したがって本発明は、前側溝壁面７ｂまたは後側溝壁面７ｃが、溝底面７ａ側から側方の外側端部までの間において部分的に前後方向に向かう傾斜形状を成している場合も含むものである。
【符号の説明】
【００４５】
１  ケーシング（外郭）
２  手挿入部
３  空気流発生装置
４  ノズル
５ａ  底壁面
５ｂ  前壁面
５ｃ  後壁面
７  排水路
７ａ  溝底面（溝底部）
７ｂ  前側溝壁面（前側溝壁部）
７ｃ  後側溝壁面（後側溝壁部）
８  排気ダクト
９  吸気ダクト
１０  吸気口
１１  立上り部（誘導手段）
１２  立上り部（誘導手段）
１３  手挿入部溝部（溝部）（誘導手段）
１３ａ  溝底面
１３ｂ  前側溝壁面
１３ｃ  後側溝壁面
１４  タンク
θ１  角度
θ２  角度
θ３  角度
θ４  角度
θ５  角度
α  角度
β  角度
【図１】
2016007400.tif 000003
【図２】
2016007400.tif 000004
【図３】
2016007400.tif 000005
【図４】
2016007400.tif 000006
【図５】
2016007400.tif 000007
【図６】
2016007400.tif 000008
【図７】
2016007400.tif 000009
【図８】
2016007400.tif 000010
【図９】
2016007400.tif 000011
【図１０】
2016007400.tif 000012
【図１１】
2016007400.tif 000013
【図１２】
2016007400.tif 000014
【図１３】
2016007400.tif 000015
【図１４】
2016007400.tif 000016
【図１５】
2016007400.tif 000017
【図１６】
2016007400.tif 000018
【図１７】
2016007400.tif 000019
【図１８】
2016007400.tif 000020
【図１９】
2016007400.tif 000021
【図２０】
2016007400.tif 000022